(57)【要約】【課題】  本発明は、ＩＣタグが損傷しないように設けられ、該タグ情報を確実に読み取る又は書き込むことができるＩＣタグ付き容器を提供することを課題とする。【解決手段】  ３容器の底面３１に支持板６が添着され、この支持板６の上面にＩＣタグ２が設けられているＩＣタグ付き容器。この支持板６の下面から容器３の外面に跨って、粘着ラベル７が貼付されている。【選択図】      図３
2006327637.tif 000002
【特許請求の範囲】
【請求項１】
容器の底面に支持板が添着され、前記支持板の上面にＩＣタグが設けられていることを特徴とするＩＣタグ付き容器。
【請求項２】
前記支持板の下面から容器の外面に跨って、粘着ラベルが貼付されている請求項１記載のＩＣタグ付き容器。
【請求項３】
前記支持板が、粘着剤を介して容器の底面に貼付されている請求項１又は２記載のＩＣタグ付き容器。
【請求項４】
前記ＩＣタグを挟持するように、支持板の上面に緩衝板が積層されている請求項１又は２記載のＩＣタグ付き容器。
【請求項５】
前記支持板の周縁に、容器の胴部に接する嵌着部が一体的に突設され、前記嵌着部を容器の胴部に嵌着することにより、前記支持板が容器の底面に添着されている請求項１又は２記載のＩＣタグ付き容器。
【請求項６】
前記支持板の下面から容器の胴部にかけて、熱収縮性筒状フィルムを密着させることにより、前記支持板が容器の底面に添着されている請求項１〜５の何れかに記載のＩＣタグ付き容器。
【請求項７】
請求項１〜６の何れかに記載のＩＣタグ付き容器の複数個が、それぞれ底面を下にして、包材にて包装されているＩＣタグ付き包装体。
【発明の詳細な説明】
【技術分野】
【０００１】
本発明は、ＩＣタグが具備されたＩＣタグ付き容器、及び該容器の複数個が包装されてなるＩＣタグ付き包装体に関する。
【背景技術】
【０００２】
近年のＩＴ技術の著しい進歩によって、超小型のＩＣチップを備えるＩＣタグが、バーコードなどに代わって商品の製造、品質、流通などの管理に利用されるようになってきている。例えば、このＩＣタグに商品情報（品名、ロット番号、製造日、品質保持期限等）や入出荷情報（出荷日、入庫日等）などを適宜記録することにより、商品の製造元から流通業者を経て消費者に亘るまでの流通履歴を含めた商品管理を、個々の商品毎に行うことが可能となる。
このようなＩＣタグを商品に具備させる手段として、例えば、特開２００４−２０７７１には、筒状のラベル基材面に、導電性インキからなるアンテナパターンが印刷され、このアンテナパターンに電気的に導通するようにＩＣタグが貼着されているＩＣタグ付きボトル用ラベルを、容器胴部に装着することが開示されている。
また、このような筒状ラベル以外に、ＩＣタグを備えるタックラベルを、容器胴部に貼付する手段も考えられる。
【０００３】
しかしながら、上記のように、容器胴部にＩＣタグを装着すると、製造ライン上や保管運搬時などに於いて、容器胴部が互いに擦れたり衝突することによってＩＣタグが損傷する虞がある。さらに、この容器が飲料容器の場合には、充填された飲料に電波が吸収され易く、ＩＣタグの読み取り感度などが低下する。また、胴部が円筒状であると、該容器の胴部形状に沿ってラベルが湾曲し、それに伴いＩＣタグが変形する。このようにＩＣタグが変形すると、リーダ装置などの無線通信装置との通信が悪くなり、ＩＣタグの情報の読み取り感度などが低下する。
【０００４】
また、一般に、多くの商品は、複数個を纏めて段ボール箱や厚紙箱などの包材に詰められた包装体の形態で、工場から出荷され、保管・運搬などの流通に供している。
しかしながら、ＩＣタグが容器胴部に具備されている場合、包装体の状態で、個々の容器に具備されたそれぞれのＩＣタグ情報を正確に読み取ることなどができないという問題点がある。
すなわち、上記のように胴部にＩＣタグが具備された容器の複数個を纏め、包材にて包装した場合、隣合う容器のＩＣタグ同士が向かい合うことがあり、該対面したＩＣタグが干渉し合うため、無線通信装置によって各容器のＩＣタグ情報を正確に読み取ったり、或いは各商品のＩＣタグに情報を書き込むことができない。また、飲料などの液体が収納されている場合、液体に電波が吸収され易いので、同様にＩＣタグ情報の読み取り精度などが低下する。
【０００５】
この点、包材で包装する際に、ＩＣタグが対向しないように包装すれば、隣合う容器や該容器に具備されたＩＣタグの干渉を抑制することも可能となるが、向きを調整して包装することは包装作業の煩雑化を招き、又、容器の形状によっては、向き調整して包装しても運搬中にその向きが変わることがある。さらに、例えば、１２個の容器を３列×４行に並べて包装する場合などのように３列以上に並べて包装された包装体にあっては、中央部分に位置する容器の周囲には、他の容器が存在するので、少なくとも中央部分に位置する容器のＩＣタグ情報を正確に読み取ることなどができない。
【０００６】
【特許文献１】特開２００４−２０７７１公報
【発明の開示】
【発明が解決しようとする課題】
【０００７】
そこで、本発明は、ＩＣタグが損傷しないように設けられ、該タグ情報を確実に読み取る又は書き込むことができるＩＣタグ付き容器を提供することを課題とする。
また、本発明は、複数個の容器が包装された包装体に於いて、それぞれの容器に具備されたＩＣタグの情報を個々に確実に読み取る又は書き込むことができるＩＣタグ付き包装体を提供することを課題とする。
【課題を解決するための手段】
【０００８】
上記課題を解決するための第１の手段として、本発明は、容器の底面に支持板が添着され、この支持板の上面にＩＣタグが設けられているＩＣタグ付き容器を提供する。
【０００９】
かかるＩＣタグ付き容器は、容器の底面に支持板が添着され、この支持板の上面にＩＣタグが設けられているので、容器の底面にＩＣタグが具備されている。従って、保管運搬時などに於いて、容器同士が互いに擦れたりしても、ＩＣタグが損傷することはない。
また、ＩＣタグは支持板の上面に設けられ、該支持板が容器の底面に添着されているので、容器を自立させた状態で搬送しても、ＩＣタグに外部から直接的に異物が接触せず、ＩＣタグの損傷を防止できる。
かかるＩＣタグ付き容器は、その底面から無線通信装置を作用させることにより、タグ情報を読み取る又は書き込むことができる。従来のようにＩＣタグが容器胴部に装着されていると収納物に電波が吸収されて読み取り感度などが低下するが、本発明によれば、無線通信装置とＩＣタグの間には、収納物が介在しないので、読み取り感度や書き込み感度が低下する虞もない。このように底面にＩＣタグが具備されている本発明のＩＣタグ付き容器は、複数個纏めて包装した包装体の形態にした場合でも、それぞれのＩＣタグの情報を確実に読み取る又はＩＣタグに情報を書き込むことができる。
【００１０】
また、本発明の好ましい態様では、支持板の下面から容器の外面に跨って、粘着ラベルが貼付されている上記ＩＣタグ付き容器を提供する。かかるＩＣタグ付き容器は、支持板が容器の底面から脱落することを防止して、支持板を容器の底面に確実に添着させることができる。
【００１１】
さらに、本発明の好ましい態様では、上記支持板が、粘着剤を介して容器の底面に貼付されている上記ＩＣタグ付き容器を提供する。かかるＩＣタグ付き容器は、支持板が粘着剤によって容器の底面に貼付されているので、支持板を容器の底面に簡易に且つ確実に添着させることができる。
【００１２】
また、本発明の好ましい態様では、上記ＩＣタグを挟持するように、支持板の上面に緩衝板が積層されている上記ＩＣタグ付き容器を提供する。かかるＩＣタグ付き容器は、支持板の上面に、ＩＣタグを挟持するように緩衝板が積層されているので、支持板の下面から押圧力が加わった際、ＩＣタグが容器に強く押圧されて破損することを防止できる。
【００１３】
さらに、本発明の好ましい態様では、上記支持板の周縁に、容器の胴部に接する嵌着部が一体的に突設され、嵌着部を容器の胴部に嵌着することにより、支持板が容器の底面に添着されている上記ＩＣタグ付き容器を提供する。かかるＩＣタグ付き容器は、支持板の周縁に容器の胴部に接する嵌着部が一体的に突設されているので、嵌着部を容器胴部に嵌め込むことによって、支持板を容器の底面に添着できる。
【００１４】
また、本発明の好ましい態様では、上記支持板の下面から容器の胴部にかけて、熱収縮性筒状フィルムを密着させることにより、前記支持板が容器の底面に添着されている上記ＩＣタグ付き容器を提供する。かかるＩＣタグ付き容器は、筒状フィルムを熱収縮させるだけで、支持板を容器の底面に添着できる。
【００１５】
さらに、本発明の第２の手段は、上記ＩＣタグ付き容器の複数個が、それぞれ底面を下にして、包材にて包装されているＩＣタグ付き包装体を提供する。
【００１６】
上記ＩＣタグ付き包装体は、上記底面の空間部内にＩＣタグが収められている容器の複数個が、それぞれ底面を下にした状態で、包材によって包装されているので、包装体の底面側には、各容器に具備されたＩＣタグが、それぞれ平面上に並んだ状態となっている。
従って、複数個の容器を包装する際、隣合う容器の向き調整などを行わなくても、個々の容器に具備されたＩＣタグは、隣合う容器や該容器に具備されたＩＣタグによって干渉を受けず、このＩＣタグ付き包装体の底面側から無線通信装置を作用させることにより、個々の容器のＩＣタグ情報をそれぞれ確実に読み取る又はＩＣタグに情報を書き込むことができる。
【発明の効果】
【００１７】
本発明のＩＣタグ付き容器は、搬送保管などする際、ＩＣタグが損傷することを防止できる。従って、ＩＣタグ付き容器は、無線通信装置を用いてＩＣタグの情報を確実に読み取る又はＩＣタグに情報を確実に書き込むことができる。
また、本発明のＩＣタグ付き包装体によれば、複数の容器を包装した状態で、各容器に具備されたＩＣタグの情報をそれぞれ確実に読み取る又はＩＣタグに情報を書き込むことができる。従って、包装体を開封して容器を取り出さなくても、ＩＣタグを利用して、商品毎の商品管理を確実に行うことができる。
【発明を実施するための最良の形態】
【００１８】
以下、本発明について、図面を参照しつつ具体的に説明する。
（第１実施形態）
図１及び図２に於いて、１は、容器３の底面３１に支持板６を介してＩＣタグ２が具備されたＩＣタグ付き容器４と、該容器４の複数個を纏めて外包装する包材５と、からなるＩＣタグ付き包装体を示す。
【００１９】
容器３は、図３に示すように、底面３１を下にして自立可能な形態とされている。
具体的には、容器３は、略円状の底面３１と、この底面３１に続く円筒状の胴部３２と、この胴部３２から次第に細くなる肩部３３と、この肩部３３の上端部に開口された円状の開口部３４と、この開口部３４を封緘するゴム栓などの蓋部３５と、から構成されている。この容器３内には、収納物として液状の医薬品が収納されている。尚、このように医薬品が収納された上記容器３は、一般にバイアル瓶と言われている。
【００２０】
容器３の底面３１は、自立させる際に載置面に接する環状の接地部３６と、該接地部３６よりも内側に凹んだ凹み部３７と、から構成されている。この凹み部３７と接地部３６によって、容器３の底面３１の中央部分には、空間部３８が形成されている。また、凹み部３７は、中央部に平坦面が形成され、その周囲に次第に外側下方へ傾斜する傾斜面が形成されている。
【００２１】
ＩＣタグ２は、図３に示すように、ＩＣチップ２２及びアンテナ部２３からなるモジュール部を少なくとも有し、無線通信装置（後述するように、読込み型、書込み型、又は読書き型の何れでもよい）によって非接触でＩＣチップ２２の電気的情報を読み込む及び／又はＩＣチップ２２に書き込むことができる公知のものを用いることができる。
ＩＣタグ２の具体的構成としては、図示したように、基材２１の上にＩＣチップ２２及びアンテナ部２３からなるモジュール部が形成された構成のものや、図示しないが、基材２１の上にＩＣチップ２２及びアンテナ部２３からなるモジュール部が形成され、且つこのＩＣチップ２２等の上に保護基材が積層された上下基材によるラミネート構造のものなどが用いることができる。
尚、このＩＣタグ２とは、一般的に、ＲＦＩＤタグ、ＲＦＩＤインレット、無線ＩＣタグ、非接触ＩＣ、非接触データキャリアなどと表現されているものも含まれる。
ＩＣタグ２は、上記公知のものを用いることができる。中でも、ＩＣタグ２は、容器３の底面３１の面積よりも小さいもの、すなわち、ＩＣチップ２２及びアンテナ部２３が容器３の底面３１から外部へ出ない大きさのものが好ましく、特に、図３（ａ）に示すように、ＩＣチップ２２及びアンテナ部２３が、底面のうち空間部３８内に収まる大きさのものがより好ましい。
【００２２】
このＩＣタグ２は、ＩＣチップ２２が設けられた面を支持板６の上面に貼付し、この支持板６を介して容器３の底面３１に設けられている。
具体的には、支持板６は、ＩＣタグ２よりも大面積で且つ容器３の底面３１と略同形の略円状に形成されている。この支持板６の上面には、粘着剤を塗布することにより、粘着層６１が設けられている。
この粘着層６１は、支持板６にＩＣタグ２を貼付するためのタグ貼付手段であると共に、支持板６を容器３の底面３１に貼付するための支持板取付手段（以下、支持板６を容器３の底面３１に取り付けるために設けられる粘着層を「第１取付手段」という場合がある）としても機能している。
すなわち、この支持板６の略中央部に、粘着層６１を介してＩＣタグ２のＩＣチップ面が剥離可能に接着されている。この粘着層６１のうち、ＩＣタグ２の接着されていない領域（支持板６の周縁部）が接地部３６の下面に接着され、該粘着層６１を介して、ＩＣタグ２を備える支持板６が、容器３の底面３１に添着されている。
尚、容器３の底面３１の中央部には凹み部３７が形成されているので、ＩＣタグ２の上面と凹み部３７の下面の間には、隙間が確保されている。
【００２３】
支持板６としては、比較的剛性のあるシート、発泡樹脂シート、厚み１００〜２００μｍ程度の合成樹脂フィルムや紙などのシート材を用いることができる。
中でも、支持板６の下面に異物が接触して押圧力が加わった際、該支持板６の上面に貼付されたＩＣタグ２が容器３の底面３１に押し付けられることを確実に防止できる点から、支持板６は、押圧力が加わっても撓み難い比較的剛性のあるシートや、押圧力が加わった際に適宜変形してその力を吸収する発泡樹脂シートなどを用いることが好ましい。このような剛性のあるシートとしては、例えば、ポリエチレンテレフタレートなどからなる厚み０．５〜２ｍｍ程度の硬質合成樹脂シートや厚紙などが挙げられる。また、発泡樹脂シートとしては、例えば、発泡倍率１．５〜４０倍程度で、厚み５０〜１０００μｍ程度、好ましくは１００〜３００μｍ程度のポリスチレン、ポリエチレン、ポリプロピレン、ポリウレタン、ポリエチレンテレフタレートなどの比較的軟質な熱可塑性樹脂発泡シートが挙げられる。
【００２４】
また、支持板６や粘着層６１は、無色透明又は半透明（薄い色が付いているものも含む）なものを用いることが好ましい。このような透視可能な支持板６を用いることにより、ＩＣタグ２が接着されていない領域に於いて容器３内部を視認することができ、容器４の底面３１から医薬品を確認するための領域を広く確保できるので好ましい。
【００２５】
さらに、上記支持板６には、第１取付手段以外に、更に異なる支持板取付手段（以下、支持板６を容器３の底面３１に添着するために設けられる第１取付手段と異なる手段を「第２取付手段」という）が設けられている。
すなわち、第２取付手段として、支持板６の下面から容器胴部３２の外面に跨って、粘着ラベル７が貼付されている。
この粘着ラベル７は、粘着層（図示せず）を備える剥離可能な公知のものを用いることができ、支持板６の下面から容器３の胴部３２に跨るように貼付できるものであれば、帯状、楕円状など、その平面形状は限定されない。粘着ラベル７は、１箇所でも良いが、好ましくは、容器３の周りに複数箇所放射状に貼付することが好ましい。
このように支持板６から容器胴部３２の外面に架け渡すように粘着ラベル７を貼付することにより、支持板６が容器３の底面３１から不用意に外れ難くすることができる。
【００２６】
包材５は、特に限定されず、例えば、図２に示すように、厚紙、段ボール、硬質合成樹脂シートなどの比較的剛性のあるシートを組み立てた組立箱を用いることができる。また、包材は、透明なもの又は非透明なものを用いることができる。
この包材５の底面５１にＩＣタグ付き容器４の底面３１（支持板６の下面）を対面させた状態で、包材５内に複数のＩＣタグ付き容器４が並べられて収納されている。従って、各容器４は、上下に積み重ねられておらず、その底面３１を下にした状態で包装されている。尚、５２は、箱型の包材５の開閉蓋を示す。
包材５によって包装されるＩＣタグ付き容器４の個数は、複数個（２個以上）であれば特に限定されない。また、各容器４の並べ方も特に限定されず、１列×複数行、２列×複数行、３列×複数行などのように規則的に並べて包装してもよいし、或いは、不規則に並べて包装してもよい。図１では、１０個の容器４を２列×５行に並べ、これを包材５にて包装してＩＣタグ付き包装体１を示している。
尚、包材５によって容器４を包装する際、包材５と容器４との間、或いは隣合う容器４の間に、緩衝用のシートなどを介装してもよい。
【００２７】
次に、上記ＩＣタグ付き包装体１の製造方法及びＩＣタグ付き包装体１のＩＣタグ通信方法について説明する。
医薬品を容器３に充填し封緘した後、該医薬品に関する商品情報（品名、商品の個別的な識別番号、製造日、製造場所、品質保持期限などの所望の情報）を記録したＩＣタグ２が貼付された支持板６を、容器３の底面３１に貼付する。更に、粘着ラベル７を貼付することにより、ＩＣタグ付き容器４を得ることができる。
このＩＣタグ付き容器４の複数個を、底面３１を下にして包材５の底面５１上に載置して自立させた状態で箱状の包材５に詰め込み、該包材５の開閉蓋５２を封緘することによって、ＩＣタグ付き包装体１を得ることができる。
尚、ＩＣタグ２への商品情報の記録は、容器３に貼付する前に行わず、包装体１の製造後にＩＣタグ２へ情報を書き込み可能な書込み型又は読書き型の無線通信装置を用いて行うこともできる。
【００２８】
このＩＣタグ付き包装体１は、搬送ラインなどで搬送され、倉庫に保管、或いは製造元から出荷され、流通に供される。そして、搬送ラインなどの所定箇所に於いて、無線通信装置を用いて、包装体１の状態で個々の容器４のＩＣタグ２との通信が行われる。
例えば、この搬送途中に於いて、図４に示すように、コンベア１１の間に無線通信装置１０を配置し、該コンベア１１で搬送される包装体１の底面を無線通信装置１０上に通過させている間に、該無線通信装置１０から電波が送られ、個々の容器４に具備されたＩＣタグ２と通信することで、ＩＣタグ２に記録された情報をそれぞれ読み取る及び／又はＩＣタグ２に情報をそれぞれ書き込むことができる。
また、無線通信装置１０を、包装体１の搬送途中に配置してＩＣタグ２と通信する態様に限られず、所望の場所で、包装体１を無線通信装置１０の上に載せる又は通過させることにより、ＩＣタグ２と通信することもできる。
【００２９】
ここで、無線通信装置１０は、ＩＣタグ２と無線（非接触）によってアクセスできる装置であって、ＩＣタグ２の情報を読み込む読込み型、無線でＩＣタグ２に情報を記録する書込み型、又は該読み込みと書き込みの双方を行える読書き型、の何れかの型を用いることができる。
読込み型の無線通信装置１０は、ＩＣタグ２に対しては、その記録情報を読み込む機能を有する。かかる読込み型の無線通信装置１０を用いる場合、例えば、容器４毎に具備されたＩＣタグ２にそれぞれの識別番号（ＩＤ番号）が記録され、且つ該識別番号に対応した商品情報が別途データベース化されたシステムを構築することにより（例えば、別に設置したホストコンピュータに商品情報が記録更新され、且つインターネットなどの通信網を通じてアクセスできるデータベースなど）、読込み型の無線通信装置１０で読み込んだＩＣタグ情報（識別番号等）を元にしてこのデータベースと照合し、個々の容器４についての商品情報を確認でき、商品管理を行うことができる。
また、書込み型の無線通信装置１０は、ＩＣタグ２に対しては、所定情報を書き込む機能を有する。かかる書込み型の無線通信装置１０を用いる場合、流通過程に於ける各箇所で、所定の商品情報を追記更新することにより、容器４毎のＩＣタグ２に重畳的に商品情報を蓄積できる。
これら読込み型、書込み型、読書き型の無線通信装置１０は、各流通箇所に於いて適宜選択して使用でき、例えば、製造元から販売業者又は消費者に至るまで、同じ型の無線通信装置（例えば、読込み型や読書き型など）を用いたり、或いは、製造元では書込み型の無線通信装置、問屋などの流通業者では読書き型、販売業者又は消費者では読込み型をそれぞれ用いるなどのように、流通箇所で異なる型の無線通信装置１０を用いることもできる。
【００３０】
また、無線通信装置１０は、包装体１に包装された商品３のＩＣタグ２に個々にアクセスするものでも良いし、或いは、複数個を纏めて一括してアクセスする方式のものでもよい。
【００３１】
上記包装体１は、底面３１にＩＣタグ２が備えられた容器４の複数個が、それぞれ底面３１を下にした状態で包材５によって包装された構成からなるので、該包装体１の底面側には、各容器４のＩＣタグ２が、恰も包材５の底面５１上に並べられたような状態となっている。従って、同一包装されている隣合う容器４や該容器４に具備されたＩＣタグ２の干渉を受けず、各容器４に具備されたＩＣタグ２の情報をそれぞれ確実に読み取る又は各容器４に具備されたＩＣタグ２に情報を記録することができる。特に、収納物が液状の場合、従来のようにＩＣタグを容器胴部に装着していると電波が吸収されて読み取り感度などが低下するが、本発明の包装体１によれば、無線通信装置１０と各容器４のＩＣタグ２の間に、液状の収納物が介在しないので、読み取り感度などが低下する虞もない。
よって、包装体１を開封して容器４を取り出さなくても、包装した状態のまま、容器毎にＩＣタグ２を介してその商品管理を行うことができる。
尚、このようにＩＣタグ２と無線通信装置１０によって情報を通信するので、バーコードなどの光学的な手段に比してより確実に情報を読み込むことができ、又、包材５として非透明なものを用いることもできる。
【００３２】
さらに、ＩＣタグ２が、任意に読み書き可能なＩＣチップ２２を備えている場合には、書込み型又は読書き型の無線通信装置１０によって、所望の情報を追加又は更新記録することができる。
従って、例えば、製造元から流通業者を経て消費者に至るまでの各流通拠点で、上記包装体１に無線通信装置１０を作用させ、各容器４のＩＣタグ２のそれぞれに、入出荷情報（出荷日、入庫日等）や検品情報などの所望の情報を追加又は更新記録していくことにより、極めて正確な流通履歴が記録されたＩＣタグ２を個々の容器毎に得ることができる。
このＩＣタグ２の記録情報に従えば、ＩＣタグ付き容器４の追跡管理を容易に行えるので、医薬品の流通管理システムとして特に好適に利用できる。
【００３３】
また、ＩＣタグ付き容器４は、支持板６を介して容器３の底面３１に設けられているので、支持板６がＩＣタグの保護部材として作用する。従って、容器４を自立させた状態で搬送しても、コンベアなどの異物にＩＣタグ２が直接的に接触せず、ＩＣタグ２の損傷を防止できる。
加えて、ＩＣタグ付き容器４が転倒しても、ＩＣチップ２２が床面などに当たって破損する虞もない。
さらに、ＩＣタグ２と凹み部３７の下面の間に隙間が確保されるようにＩＣタグ２が設けられているので、搬送等の際に容器３へ加わる振動がＩＣタグ２に直接に伝わることを防止できる。従って、衝撃によるＩＣタグ２の損傷を防止できる。
また、ＩＣタグ２は、容器３の底面３１の略中央部分（略中心部分）に配設されているので、包装体１とした際、隣合う容器４のＩＣタグ２同士が接近することを防止できる。従って、包装体１に於いて、隣合うＩＣタグ２の干渉を確実に防止することができる。
【００３４】
さらに、ＩＣタグ２は、剥離可能な粘着層６１に貼付されているので、支持板６から剥離することができる。従って、例えば、病院でＩＣタグ付き容器４に収納された医薬品を使用した後、支持板６を容器３から引き剥がし、且つ該支持板６からＩＣタグ２を引き剥がし、このＩＣタグ２をカルテなどに添付して保存しておくことができる。このようにＩＣタグ２をカルテなどの患者に関連した資料と共に保存しておくことで、後日、患者に投与した医薬品の追跡調査を簡単に行うことができる。
【００３５】
次に、本実施形態の変形例を示す。
上記本実施形態では、支持板６を容器３の底面３１に添着させるため、第１取付手段と第２取付手段の双方を備えるが、何れか一方の取付手段だけで支持板６を添着させることもできる。
また、支持板６の形状は、容器３の底面３１の形状と略同形のものを例示しているが、容器３の底面３１と異なる形状、例えば、略四角状、略楕円状などでもよい。さらに、支持板６の大きさは、ＩＣタグ２と略同大又はそれよりも大きければよく、例えば容器３の底面３１よりも大面積に形成されていてもよい。
【００３６】
（第２実施形態）
第２実施形態は、第２取付手段が支持板の周縁に形成された嵌着部からなるＩＣタグ付き容器に関する。以下、主として上記第１実施形態と異なる構成及び作用効果について説明し、同様の構成などについては、その説明を省略し、図番を援用することがある。
【００３７】
図５に於いて、容器３の底面３１と略同形の略円状に形成された支持板６の周縁から上方へ向けて、管状の嵌着部６２が突設されている。この嵌着部６２と支持板６は、例えば、樹脂成形品で一体的に形成されている。この管状の嵌着部６２は、その内径が容器胴部３２の外径と略一致するように形成されていると共に、嵌着部６２の内周面には、部分的に僅かな突起部６３が内側に向かって突設されている。
また、支持板６の上面略中央部には、凹部６４が形成されており、この凹部６４にＩＣタグ２が収納されている。尚、ＩＣタグ２は、粘着剤などを介して凹部６４に接着されていることが好ましい。
尚、凹部６４を形成する場合には、支持板６は、例えば厚み２ｍｍ以上程度に形成されていることが好ましい。
【００３８】
該支持板６は、図５（ｂ）に示すように、容器３の底面３１側から嵌着部６２を嵌め込み且つ該嵌着部６２を容器３の胴部３２に嵌着することによって、容器３の底面３１に添着されている。
かかる支持板６は、嵌着部６２を容器胴部３２に嵌着するだけで容器３の底面３１に添着させることができ、ＩＣタグ付き容器４を構成できる。該ＩＣタグ付き容器４は、個々の形態で、又は、複数個を纏めて包装体１の形態で使用され、上記第１実施形態と同様に、無線通信装置１０を介して、タグ情報を読み取る及び／又はＩＣタグ２に情報を書き込むことができる。
また、嵌着部６２の内周面には、突起部６３が設けられているので、嵌着時、該突起部６３が押し潰されることによって、嵌着部６２が容器胴部３２に対して強く密着する。従って、支持板６を強固に容器底面３１に添着させることができる。さらに、容器胴部３２の対応箇所に、嵌着部６２に形成された突起部６３が嵌合可能な穴部を形成することにより、支持板６をより強固に容器底面３１に添着させることができるので好ましい。
さらに、支持板６の上面には、ＩＣタグ２を収納する凹部６４が形成されているので、支持板６の上面からＩＣタグ２が突出しない。従って、例えば、図示したように底面３１が平坦状の容器３（凹み部３７が形成されていない容器３）に該支持板６を添着しても、ＩＣタグ２が容器３の底面３１によって押え付けられることがない。
尚、嵌着部６２は、嵌合作用で容器胴部３２に取り付けられているので、使用後、支持板６を容器３の底面３１から取り外すこともできる。
【００３９】
本実施形態に於いては、嵌着部６２は、支持板６の周縁全体から突設されているが、嵌着部６２は管状に限られず、例えば、支持板６の周縁に於いて所定間隔をあけて複数の嵌着部６２（櫛状の嵌着部６２）が突設されていてもよい。
さらに、本実施形態の支持板６に、更に第１取付手段を併用してもよいし、又、粘着ラベル７からなる第２取付手段を更に併用してもよい。
また、凹部６４が形成されていない支持板６を用いることも可能である。
【００４０】
（第３実施形態）
第３実施形態は、第２取付手段が熱収縮性筒状フィルムからなるＩＣタグ付き容器に関する。以下、主として上記第１及び第２実施形態と異なる構成及び作用効果について説明し、同様の構成などについては、その説明を省略し、図番を援用することがある。
【００４１】
図６に於いて、支持板６の上面には、ＩＣタグ２が貼付されている。図６では、支持板６の上面は、平坦状であるが、上記第２実施形態に示すように、支持板６に凹部６４を形成してもよい。
この支持板６の下面周縁部には、熱収縮性筒状フィルム８の下方部が添着されている。
具体的には、熱収縮性筒状フィルム８は、全体として容器胴部３２に外嵌可能な内径に形成されているが、筒状フィルム８の下方部は、支持板６の下面周縁部に接するように予備成形することで、内側へ向けて折り曲げられ、この折り曲げられた部分が支持板６の下面周縁部に接着剤などで接着されている。
熱収縮性筒状フィルム８は、所定温度（例えば８０〜１００℃）で、少なくとも周方向に熱収縮しうるフィルムからなり、その材質については特に限定されず、例えば、ポリエチレンテレフタレートなどのポリエステル系樹脂、ポリプロピレンなどのオレフィン系樹脂、スチレン−ブタジエン共重合体などのスチレン系樹脂、環状オレフィン系樹脂、塩化ビニル系樹脂などの熱可塑性樹脂からから選ばれる１種、若しくは２種以上の混合物などからなるフィルム、又は異なる２種以上のフィルムを積層した積層フィルムなどが例示される。
【００４２】
上記支持板６は、図７に示すように、容器３の底面３１側から筒状フィルム８の上方部を嵌め込み、支持板６を容器３の底面３１に当接させた状態で、所定温度で筒状フィルム８を熱収縮させることによって、容器３の底面３２に添着されている。
かかる支持板６は、筒状フィルム８を外嵌し熱収縮させるだけで容器３の底面３１に添着させることができ、ＩＣタグ付き容器４を構成できる。該ＩＣタグ付き容器４は、個々の形態で、又は、複数個を纏めて包装体１の形態で使用され、上記第１実施形態と同様に、無線通信装置１０を介して、タグ情報を読み取る及び／又はＩＣタグ２に情報を書き込むことができる。
ところで、容器３の底面３１とＩＣタグ２の大きさの関係上、ＩＣタグ２が、容器３の底面３１よりも大きい場合がある。このような場合、図７（ｂ）に示すように、ＩＣタグ２の一部分（例えば、アンテナ部２３）が容器３の底面３１内に収まらず、容器胴部３２へ沿わせるように折り曲げられるが、熱収縮性筒状フィルム８を用いれば、この折り曲げられた部分を覆い且つ容器胴部３２へ密着させることができる。
【００４３】
尚、本実施形態の支持板６に、第１取付手段を併用してもよいし、又、粘着ラベル７からなる第２取付手段を併用してもよい。また、嵌着部６２が形成された支持板６を用い、その下面から容器胴部３２にかけて、熱収縮性筒状フィルム８を密着させてもよい。
【００４４】
（第４実施形態）
第４実施形態は、支持板６が容器３の空間部３８内に収められているＩＣタグ付き容器に関する。以下、主として上記第１〜第３実施形態と異なる構成及び作用効果について説明し、同様の構成などについては、その説明を省略し、図番を援用することがある。
図８に於いて、支持板６は、ＩＣタグ２よりも大面積で且つ容器２の凹み部３７内に収まるような略円状に形成されている。
この支持板６の上面略中央部に、粘着層６１を介してＩＣタグ２が貼付されている。
この支持板６は、図９に示すように、その周縁部が凹み部３７の傾斜面に接着されており、支持板６及びＩＣタグ２が空間部３８内に保持されている。
従って、ＩＣタグ２及び支持板６は、容器３の空間部３８内で宙に浮いたような状態で保持され、ＩＣタグ２と容器３の凹み部３７の間には、隙間が確保されている。また、支持板６の下面と接地部３６を含む面との間にも、同様に隙間が確保されている。
【００４５】
本実施形態のＩＣタグ付き容器４によれば、容器３の空間部３８内に、支持板６とＩＣタグ２が収容されているので、容器４を自立させた際、コンベアなどの載置面に支持板６が接触しない。従って、支持板６が異物に引掛かり、容器３の底面３１から脱落することを防止できる。
【００４６】
次に、本実施形態の変形例を示す。
図１０（ａ）に示す変形例は、支持板６の縁から中心方向に向かって複数の切込部６５が形成されている。
具体的には、支持板６の周縁部には、ＩＣタグ２が接着されていない領域に於いて、その縁から中心方向に向けて次第に幅狭状（例えば略Ｖ字スリット状）に切り欠くことにより、切込部６５が形成されている。この切込部６５は、好ましくは周方向に略均等に複数箇所設けられる。
このように支持板６の周縁部に複数の切込部６５を設けることにより、凹み部３７の周縁部が傾斜面とされている容器３の該凹み部３７に確実に接着することができる。すなわち、図９のように支持板６の周縁部を凹み部３７の傾斜面に貼付すると、その傾斜に従い径外方向に徐々に皺が生じるので、支持板６の容器３に対する接着面が部分的に浮き上がる虞がある。この点、変形例に係る支持板６によれば、図１０（ｂ）に示すように、周縁部を凹み部３７の傾斜面に貼付した際、切込部６５の間隔が狭まって径外方向に皺が生じることを防止できる。
【００４７】
また、この切込部６５は、略Ｖ字状以外に、例えば、図１１（ａ）に示すように、支持板６の周縁部を略直角状に切り欠いて切込部６５を形成してもよいし、或いは、図１１（ｂ）に示すように、支持板６の周縁部を線状に切り込んで切込部６５が形成してもよい。尚、図１１（ｂ）のように線状に切り込まれた切込部６５の場合には、切込部６５を境に分けられた対向側縁を重ね合わせることにより、皺の発生を防止できる。
【００４８】
尚、本実施形態では、支持板６の周縁部のみが凹み部３７の傾斜面の中途部に接着されているので、ＩＣタグ２の上面側と容器３の下面との間に隙間が確保されるので好ましいが、ＩＣタグ２の基材２１に粘着剤を設け、ＩＣタグ２の上面も容器３に接着してもよい。
さらに、本実施形態に於ける支持板６に、第２取付手段を適宜併用してもよい。
【００４９】
（第５実施形態）
第５実施形態は、支持板の上面に緩衝板が積層されているＩＣタグ付き容器に関する。以下、主として上記第１〜第４実施形態と異なる構成及び作用効果について説明し、同様の構成などについては、その説明を省略し、図番を援用することがある。
図１２に示すように、支持板６の上面には、ＩＣタグ２が設けられ、該ＩＣタグ２を挟持するように、この上に緩衝板９が積層接着されている。
緩衝板９としては、発泡樹脂シートや不織布などの緩衝性のあるシートが用いられる。
支持板６としては、上記第１実施形態で例示したものを適宜用いることができるが、発泡樹脂シートを用いることが好ましい。
緩衝板９及び／又は支持板６として発泡樹脂シートを用いれば、同図に示すように、ＩＣチップ２２を収納するための凹部６７を簡単に形成することもできる。一般に、ＩＣチップ２２は比較的厚みが厚いので、該ＩＣチップ２２を収容できる凹部６７を形成することにより、緩衝板９と支持板６の積層体に挟持されるＩＣタグ２の収まり具合を良くすることができる。
かかる凹部６７は、例えば、発泡樹脂シートの一面をエンボスロールにて押圧することによって簡単に形成することができる。
【００５０】
緩衝板９にてＩＣタグ２を挟持してなる支持板６は、第１取付手段や第２取付手段を介して容器３の底面３１に添着され、ＩＣタグ付き容器４を構成できる。
このようにＩＣタグ２の上面に緩衝板９を積層することにより、支持板６の下面から容器３の底面３１方向に押圧力が加わった際、ＩＣタグ２が容器３に強く押圧されて破損することを防止できる。
また、図１２（ｂ）に示すように、緩衝板９の上面に粘着層６１を設け、底面３１が平坦状の容器３に貼付しても、ＩＣタグ２は支持板６と緩衝板９で挟持されているので、ＩＣタグ２の一部分に押圧力が集中することを防止できる。
尚、緩衝板９は、支持板６に接着されていることが好ましいが、非接着状態で積層されていてもよい。
また、本実施形態で示す緩衝板９にてＩＣタグ２を挟持した支持板６は、上記第１〜第４実施形態の支持板６に適用することもできる。
【００５１】
（他の実施形態）
以下、他の実施形態を説明するが、主として上記各実施形態と異なる構成及び作用効果について説明し、同様の構成などについては、その説明を省略し、図番を援用することがある。
上記各実施形態に於いて、ＩＣタグ２は、支持板６に粘着剤を介して接着されているが、支持板６に対して非接着状態で載せておいてもよい。
【００５２】
また、上記各実施形態では、支持板６は、ＩＣタグ２よりも大面積に形成されているが、図１３に示すように、支持板６がＩＣタグ２と略同形状の大きさに形成されていてもよい。尚、図１３では、凹部６７が形成され且つ同形状の緩衝板９が積層接着された支持板６を例示している。
このように支持板６がＩＣタグ２と略同形状に形成されていることにより、支持板６によって塞がれる容器３の底面３１の面積を狭くすることができる。この態様は、ＩＣタグ付き容器４の内部を底面３１から視認するための領域を広く確保できることから、支持板６が発泡樹脂シートなどの非透明なシートの場合に有効である。
同様に、ＩＣタグ付き容器４の内部を底面３１から視認するための領域を広く確保ため、ＩＣタグ２よりも大面積の支持板６について、支持板６の一部分に覗き窓部６８を形成してもよい。例えば、図１４に示すように、支持板６のうちＩＣタグ２が設けられていない領域の一部分を打抜き状に開口することにより、支持板６に覗き窓部６８を形成できる。
【００５３】
また、上記各実施形態に於いては、ＩＣタグ２は、基材２１にＩＣチップ２２とアンテナ部２３が形成された態様からなるが、基材２１のない態様、例えば、支持板６上にＩＣタグ２２とアンテナ部２３が直接設けられていてもよい。尚、基材２１にＩＣチップ２２とアンテナ部２３が形成された公知のＩＣタグ２を用いる場合には、基材２１の種類によっては、（別個に支持板６を準備しなくても）該基材２１を上記支持板６として用いることも可能である。
【００５４】
さらに、上記各実施形態では、容器３としてバイアル瓶を例示しているが、容器３の形態は特に限定されず、例えば、胴部よりも小径の注出口が形成されたボトル型、底面から上面まで略同寸法の円筒又は四角筒などの筒状型、底面から上面に向かって拡がるカップ型、瓢箪型、樽型、壺型、胴部に窪みを有するなどの異形型などの各種形状の成形容器の他、厚紙や合成樹脂シートなどを箱型に組み立てた組立容器などでもよい。
また、容器３の材質についても特に限定されず、透明なポリエチレンテレフタレートなどの合成樹脂製、ガラス製、金属製、陶器製、紙製などでもよい。但し、金属製容器を用いる場合には、磁束の異常反射などが発生して電磁誘導に影響を及ぼして無線通信装置１０による読み取り感度などが低下する虞があるので、金属面でも正常に使用可能なＩＣタグ２を用いることが好ましい。
さらに、容器３に収納される収納物としては液状の医薬品に限られず、例えば、顆粒状、錠剤状、粉状、ゼリー状、固形状などの性状の医薬品でもよいし、又、医薬品に限られず、液状、顆粒状、錠剤状、粉状、ゼリー状、固形状などの性状の食品、飲料、化粧品、サニタリー品などでもよく、或いは、玩具などでもよい。
【００５５】
さらに、上記実施形態では、ＩＣタグ付き容器４は、包材５に直接包装されているが、例えば、図１５に示すように、ＩＣタグ付き容器４を更に外装材５３にて個包装し、これを包材５にて包装することにより包装体１を構成してもよい。外装材５３としては、図示したような厚紙や合成樹脂シートなどの展開シートを組み立てた組立小箱や樹脂成形箱などの箱体の他、特に図示しないが、外装材５３として熱収縮性フィルムを用い、容器４を個別にオーバーラップしてもよい。
外装材５３で個包装されたＩＣタグ付き容器４についても同様に、それぞれ底面３１を下にした状態で、包材５によって複数個が包装される。
【００５６】
さらに、上記実施形態では、包材５は、厚紙などを組み立てた組立箱が用いられているが、包材５は組立箱に限られず、例えば、容体と蓋体からなる合成樹脂ケースなどの樹脂成形品を用いることもできる。また、図１６（ａ）に示すように、包材５として、熱収縮性フィルムなどの軟質フィルム５４を用い、複数個の容器４を纏めてオーバーラップすることによりＩＣタグ付き包装体１を構成することもできる。さらに、同図（ｂ）に示すように、包装する各容器４の底面３１に対面するように厚紙や合成樹脂シートなどの板材５５を添付し且つ全体を軟質フィルム５４で包装してもよい。また、包材５として、結束ベルトを用いることもできる。包材５は、複数個の商品４が離れないように一体化できるものであれば、全体を被包して一体化する態様、複数個の容器４の一部分が露出した状態で一体化する態様の何れでもよい。もっとも、容器４の底面３１を保護できることから、包材５としては、厚紙などのシートを組み立てた組立箱や合成樹脂ケースなどの樹脂成形品、図１６（ｂ）に示すような板材５５を添付したものなどが好ましい。
【図面の簡単な説明】
【００５７】
【図１】（ａ）は、ＩＣタグ付き包装体の一実施形態を示す正面図、（ｂ）は、同上面図。
【図２】図１のＡ−Ａ線に於いて包材のみを切断した状態で示す縦断面図。
【図３】（ａ）は、ＩＣタグ付き容器の一実施形態を示す縦断面図、（ｂ）は、その下面図。
【図４】（ａ）は、無線通信装置を用いてＩＣタグにアクセスする状態の一実施形態を示す正面図、（ｂ）は、同上面図。
【図５】（ａ）は、ＩＣタグ付きの支持板の他の実施形態を示す斜視図、（ｂ）は、同支持板を容器に添着したＩＣタグ付き容器を示す一部省略縦断面図。
【図６】（ａ）は、ＩＣタグ付きの支持板の他の実施形態を示す正面図、（ｂ）は、同下面図。
【図７】（ａ）は、図６の支持板を容器に添着したＩＣタグ付き容器を示す一部省略縦断面図、（ｂ）は、同ＩＣタグ付き容器の変形例を示す一部省略縦断面図。
【図８】（ａ）は、ＩＣタグ付きの支持板の他の実施形態を示す上面図、（ｂ）は、同Ｂ−Ｂ線縦断面図。
【図９】図８の支持板を容器に添着したＩＣタグ付き容器を示す一部省略縦断面図。
【図１０】（ａ）は、ＩＣタグ付きの支持板の他の実施形態を示す上面図、（ｂ）は、該支持板を容器の凹み部の傾斜面に貼付した状態を示す下面図。
【図１１】（ａ）、（ｂ）共に、ＩＣタグ付きの支持板の他の実施形態を示す上面図。
【図１２】（ａ）は、ＩＣタグ付きの支持板の他の実施形態を示す縦断面図、（ｂ）は、該支持板を容器に添着したＩＣタグ付き容器を示す一部省略縦断面図。
【図１３】（ａ）は、ＩＣタグ付きの支持板の他の実施形態を示す上面図、（ｂ）は、同Ｃ−Ｃ線縦断面図。
【図１４】（ａ）は、ＩＣタグ付きの支持板の他の実施形態を示す上面図。
【図１５】ＩＣタグ付き包装体の変形例であって、その包装体のうち包材のみを切断した状態で示す縦断面図。
【図１６】（ａ）、（ｂ）ともに、ＩＣタグ付き包装体の変形例であって、その包装体のうち包材のみを切断した状態で示す縦断面図。但し、軟質フィルムについては、切断面を表す斜線を入れず、単なる実線で示している。
【符号の説明】
【００５８】
１…ＩＣタグ付き包装体、２…ＩＣタグ、２１…基材、２２…ＩＣチップ、２３…アンテナ部、３…容器、３１…容器の底面、３２…容器の胴部、３７…容器の凹み部、３８…容器の空間部、４…ＩＣタグ付き容器、５…包材、５１…包材の底面、６…支持板、６１…粘着層、６２…嵌着部、６４，６７…凹部、７…粘着ラベル、８…熱収縮性筒状フィルム、９…緩衝板、１０…無線通信装置
【図１】
2006327637.tif 000003
【図２】
2006327637.tif 000004
【図３】
2006327637.tif 000005
【図４】
2006327637.tif 000006
【図５】
2006327637.tif 000007
【図６】
2006327637.tif 000008
【図７】
2006327637.tif 000009
【図８】
2006327637.tif 000010
【図９】
2006327637.tif 000011
【図１０】
2006327637.tif 000012
【図１１】
2006327637.tif 000013
【図１２】
2006327637.tif 000014
【図１３】
2006327637.tif 000015
【図１４】
2006327637.tif 000016
【図１５】
2006327637.tif 000017
【図１６】
2006327637.tif 000018